(57)【要約】【課題】  デカップリングの用途に適し且つ軽微な設計変更に依るＥＳＲ調整を可能とした積層コンデンサを提供する。【解決手段】  メイン導体層１１２ａと該メイン導体層１１２ａに隣接するサブ導体層１１２ｂと両者を接続する接続部１１２ｃとサブ導体層１１２ｂに設けられた外部電極用引出し部１１２ｄとから第１導体層１１２を構成すると共に、メイン導体層１１３ａと該メイン導体層１１３ａに隣接するサブ導体層１１３ｂと両者を接続する接続部１１３ｃとサブ導体層１１３ｂに設けられた外部電極用引出し部１１３ｄとから第２導体層１１３を構成し、各接続部１１２ｃ，１１３ｃによって得られる抵抗成分と、各接続部１１２ｃ，１１３ｃと各引出し部１１２ｄ，１１３ｄとの導通距離によって得られる抵抗成分の少なくとも一方を利用して積層コンデンサ１００のＥＳＲを調整する。【選択図】  図２
2007294527.tif 000002
【特許請求の範囲】
【請求項１】
外部電極用引出し部を有する第１内部導体層と該第１内部導体層の外部電極用引出し部と異なる位置に外部電極用引出し部を有する第２内部導体層とを誘電体層を介して交互に積層して一体化した構造を有する直方体形状の積層体と、積層体の側面に設けられ交互に異なる極性が付与される複数個の外部電極とを備えた積層コンデンサであって、
第１内部導体層と第２内部導体層のそれぞれはメイン導体層と該メイン導体層に隣接して設けられたサブ導体層とメイン導体層とサブ導体層を接続する接続部とを有していて、第１内部導体層のメイン導体層と第２内部導体層のメイン導体層は誘電体層を介して対向し、第１内部導体層のサブ導体層と第２内部導体層のサブ導体層は誘電体層を介して対向しており、
前記外部電極用引出し部は第１内部導体層と第２内部導体層のそれぞれのサブ導体層に設けられていて、第１内部導体層の外部電極用引出し部は一方の極性が付与される外部電極に接続され、第２内部導体層の外部電極用引出し部は他方の極性が付与される外部電極に接続されている、
ことを特徴とする積層コンデンサ。
【請求項２】
第１内部導体層と第２内部導体層のそれぞれの接続部と外部電極用引出し部とは両者間に存するサブ導体層の最も短い部分の寸法以上の導通距離をもって離れている、
ことを特徴とする請求項１に記載の積層コンデンサ。
【請求項３】
第１内部導体層のメイン導体層と第２内部導体層のメイン導体層は同一形状を成し、第１内部導体層のサブ導体層と第２内部導体層のサブ導体層は同一形状を成している、
ことを特徴とする請求項１または２に記載の積層コンデンサ。
【請求項４】
メイン導体層は所定の長さ及び幅を有する矩形状を成し、サブ導体層はメイン導体層よりも幅が小さな矩形状を成していてメイン導体層の幅方向両側に位置している、
ことを特徴とする請求項１〜３の何れか１項に記載の積層コンデンサ。
【請求項５】
メイン導体層は所定の長さ及び幅を有する矩形状を成し、サブ導体層はメイン導体層よりも幅が小さな矩形枠状を成していてメイン導体層の周囲に位置している、
ことを特徴とする請求項１〜３の何れか１項に記載の積層コンデンサ。
【発明の詳細な説明】
【技術分野】
【０００１】
本発明は、デカップリングの用途に適した積層コンデンサに関する。
【背景技術】
【０００２】
デカップリングに用いられる積層コンデンサには高静電容量と低ＥＳＬ（等価直列インダクタンス）が求められており、特許文献１にはこの種の積層コンデンサが開示されている。
【０００３】
特許文献１に開示されている積層コンデンサは、直方体形状の積層体と、積層体の幅方向両側面にそれぞれ４個ずつ設けられ交互に異なる極性が付与される計８個の外部電極とを備える。積層体は、幅方向両側縁にそれぞれ２個ずつ設けられた計４個の外部電極用引出し部を有する第１内部導体層と、幅方向両側縁にそれぞれ２個ずつ設けられた計４個の外部電極用引出し部を第１内部導体層の引出し部とは異なる位置に有する第２内部導体層とを、誘電体層を介して交互に積層して一体化した構造を有している。各第１内部導体層の４個の引出し部は一方の極性が付与される４個の外部電極に接続され、各第２内部導体層の４個の引出し部は他方の極性が付与される残り４個の外部電極に接続されている。
【０００４】
この積層コンデンサでは、誘電体層を介して積層された第１内部電極層と第２内部電極層によってデカップリングの用途に適した静電容量を確保できると共に、誘電体層を介して隣り合う異極性の引出し部に流れる電流の向きが逆になるようにして各々の引出し部に流れる電流により生じる磁界を相殺してＥＳＬ低減を図ることができる。
【特許文献１】特表２００２−５０８１１４号公報
【発明の開示】
【発明が解決しようとする課題】
【０００５】
デカップリングに関して言えば積層コンデンサのＥＳＲ（等価直列抵抗）は低い方が好ましいが、実用上ではＥＳＲが低すぎると積層コンデンサの実装位置や周囲環境等に依って不要な共振、例えば電源電圧のリップル発生及びリップルに基づくノイズ発生や電磁障害（ＥＭＩ）に依るノイズ発生を引き起こしてしまう。
【０００６】
このようなノイズ発生を未然に防止するには実装位置や周囲環境等に応じて積層コンデンサのＥＳＲを予め調整しておくべきであるが、特許文献１に開示されている積層コンデンサはＥＳＲを調整するための因子を有しないためＥＳＲ調整を行うには基本的な部分での設計変更が必要となる。
【０００７】
本発明は前記事情に鑑みて創作されたもので、その目的とするところは、デカップリングの用途に適し且つ軽微な設計変更に依るＥＳＲ調整を可能とした積層コンデンサを提供することにある。
【課題を解決するための手段】
【０００８】
前記目的を達成するため、本発明は、外部電極用引出し部を有する第１内部導体層と該第１内部導体層の外部電極用引出し部と異なる位置に外部電極用引出し部を有する第２内部導体層とを誘電体層を介して交互に積層して一体化した構造を有する直方体形状の積層体と、積層体の側面に設けられ交互に異なる極性が付与される複数個の外部電極とを備えた積層コンデンサであって、第１内部導体層と第２内部導体層のそれぞれはメイン導体層と該メイン導体層に隣接して設けられたサブ導体層とメイン導体層とサブ導体層を接続する接続部とを有していて、第１内部導体層のメイン導体層と第２内部導体層のメイン導体層は誘電体層を介して対向し、第１内部導体層のサブ導体層と第２内部導体層のサブ導体層は誘電体層を介して対向しており、前記外部電極用引出し部は第１内部導体層と第２内部導体層のそれぞれのサブ導体層に設けられていて、第１内部導体層の外部電極用引出し部は一方の極性が付与される外部電極に接続され、第２内部導体層の外部電極用引出し部は他方の極性が付与される外部電極に接続されている、ことをその特徴とする。
【０００９】
この積層コンデンサによれば、一方の極性の外部電極と他方の極性の外部電極を通じて得られる積層コンデンサの静電容量は、第１内部導体層のメイン導体層と該メイン導体層と誘電体層を介して対向する第２内部導体層のメイン導体層によって形成される静電容量と第１内部導体層のサブ導体層と該サブ導体層と誘電体層を介して対向する第２内部導体層のサブ導体層によって形成される静電容量の合成値となるため、第１内部導体層と第２内部導体層の数を適宜選択することによってデカップリングの用途に適した静電容量を確保することができる。
【００１０】
また、複数個の外部電極に交互に異なる極性を付与した状態では、主に、誘電体層を介して隣り合う異極性の引出し部に流れる電流の向きが逆になることによる磁界相殺作用（磁束打ち消し作用）によって、積層コンデンサのＥＳＬ（等価直列インダクタンス）を効果的に低減することができる。
【００１１】
さらに、第１内部導体層及び第２内部導体層の各接続部によって得られる抵抗成分を該接続部の幅変更或いは数変更により変化させる手法と、各接続部と各引出し部との導通距離によって得られる抵抗成分を接続部の位置変更により変化させる手法の少なくとも一方を採用することによって、各内部導体層のメイン導体層及びサブ導体層の面積及び位置を変えずに積層コンデンサのＥＳＲ（直列等価抵抗）を簡単に調整することができる。
【発明の効果】
【００１２】
本発明によれば、デカップリングの用途に適し且つ軽微な設計変更に依るＥＳＲ調整を可能とした積層コンデンサを提供することができる。
【００１３】
本発明の前記目的とそれ以外の目的と、構成特徴と、作用効果は、以下の説明と添付図面によって明らかとなる。
【発明を実施するための最良の形態】
【００１４】
［第１実施形態］
図１〜図６は本発明（積層コンデンサ）の第１実施形態を示す。
【００１５】
図１に示した積層コンデンサ１００は、所定の長さＬ，幅Ｗ及び高さＴを有する直方体形状の積層体１０１と、積層体１０１の幅方向両側面にそれぞれ４個ずつ等間隔で設けられた計８個の外部電極１０２，１０３とを備える。計８個の外部電極１０２，１０３は交互に異なる極性が付与されるものであり、ここでは一方の極性が付与される外部電極１０２を第１外部電極１０２と称し、他方の極性が付与される外部電極１０３を第２外部電極１０３と称する。
【００１６】
積層体１０１は、図２に示すように、第１内部導体層１１２と第２内部導体層１１３とを誘電体層１１１を介して交互に積層して一体化した構造を有する。第１内部導体層１１２と第２内部導体層１１３の数は必ずしも同じである必要はなく、一方の数が他方の数よりも１つ多くても構わない。また、積層体１０１の高さ方向両側には誘電体層１１１のみが積層された部分（マージン部分）が存し、少なくとも基板実装時に基板と向き合う側のマージン部分の厚さは３０〜７０μｍに設定されている。
【００１７】
第１内部導体層１１２は、図３（Ａ）に示すように、所定の長さＬ２ａ及び幅Ｗ２ａを有する矩形状のメイン導体層１１２ａと、メイン導体層１１２ａと同じ長さＬ２ｂ及びメイン導体層１１２ａよりも小さな幅Ｗ２ｂを有しメイン導体層１１２ａの幅方向両側に隣接して位置する矩形状のサブ導体層１１２ｂと、所定の長さＬ２ｃ及び幅Ｗ２ｃを有しメイン導体層１１２ａと各サブ導体層１１２ｂを接続する矩形状の接続部１１２ｃと、所定の長さＬ２ｄ及び幅Ｗ２ｄを有し各サブ導体層１１２ｂに設けられた矩形状の外部電極用引出し部１１２ｄとを有する。
【００１８】
接続部１１２ｃはメイン導体層１１２ａの幅方向一側縁（図３（Ａ）の上側）と一方（図３（Ａ）の上側）のサブ導体層１１２ｂの間に長さ方向に間隔をおいて２個設けられ、メイン導体層１１２ａの幅方向他側縁（図３（Ａ）の下側）と他方（図３（Ａ）の下側）のサブ導体層１１２ｂの間に長さ方向に間隔をおいて２個設けられている。引出し部１１２ｄは一方（図３（Ａ）の上側）のサブ導体層１１２ｂのメイン導体層１１２ａと向き合わない側の幅方向側縁（図３（Ａ）の上側）に長さ方向に間隔をおいて２個設けられ、他方（図３（Ａ）の下側）のサブ導体層１１２ｂのメイン導体層１１２ａと向き合わない側の幅方向側縁（図３（Ａ）の下側）に長さ方向に間隔をおいて２個設けられている。
【００１９】
また、図３（Ａ）に１点鎖線で示すように、幅方向一側（図３（Ａ）の上側）に存する２個の接続部１１２ｃの中心位置は幅方向他側（図３（Ａ）の下側）に存する２個の引出し部１１２ｄの中心位置と長さ方向で一致し、幅方向他側（図３（Ａ）の下側）に存する２個の接続部１１２ｃの中心位置は幅方向一側（図３（Ａ）の上側）に存する２個の引出し部１１２ｄの中心位置と長さ方向で一致している。つまり、第１内部導体層１１２の各接続部１１２ｃと各引出し部１１２ｄとは両者間に存するサブ導体層１１２ｂの最も短い部分の寸法（幅寸法Ｗ２ｂ）よりも大きな導通距離をもって離れている。
【００２０】
各第１内部導体層１１２における幅方向一側（図３（Ａ）の上側）に存する２個の引出し部１１２ｄのうち左側の引出し部１１２ｄは積層体１０１の幅方向一側面（図１の右側）の最も左に位置する第１外部電極１０２に対応し且つ該第１外部電極１０２に接続され、右側の引出し部１１２ｄは積層体１０１の幅方向一側面（図１の右側）の右から２番目に位置する第１外部電極１０２に対応し且つ該第１外部電極１０２に接続されている。また、幅方向他側（図３（Ａ）の下側）に存する２個の引出し部１１２ｄのうち左側の引出し部１１２ｄは積層体１０１の幅方向他側面（図１の左側）の左から２番目に位置する第１外部電極１０２に対応し且つ該第１外部電極１０２に接続され、右側の引出し部１１２ｄは積層体１０１の幅方向他側面（図１の左側）の最も右に位置する第１外部電極１０２に対応し且つ該第１外部電極１０２に接続されている。つまり、各第１内部導体層１１２には４個の引出し部１１２ｄを通じて第１外部電極１０２と同じ極性が付与される。
【００２１】
第２内部導体層１１３は、図３（Ｂ）に示すように、所定の長さＬ３ａ及び幅Ｗ３ａを有する矩形状のメイン導体層１１３ａと、メイン導体層１１３ａと同じ長さＬ３ｂ及びメイン導体層１１３ａよりも小さな幅Ｗ３ｂを有しメイン導体層１１３ａの幅方向両側に隣接して位置する矩形状のサブ導体層１１３ｂと、所定の長さＬ３ｃ及び幅Ｗ３ｃを有しメイン導体層１１３ａと各サブ導体層１１３ｂを接続する矩形状の接続部１１３ｃと、所定の長さＬ３ｄ及び幅Ｗ３ｄを有し各サブ導体層１１３ｂに設けられた矩形状の外部電極用引出し部１１３ｄとを有する。
【００２２】
接続部１１３ｃはメイン導体層１１３ａの幅方向一側縁（図３（Ｂ）の上側）と一方（図３（Ｂ）の上側）のサブ導体層１１２ｂの間に長さ方向に間隔をおいて２個設けられ、メイン導体層１１３ａの幅方向他側縁（図３（Ｂ）の下側）と他方（図３（Ｂ）の下側）のサブ導体層１１３ｂの間に長さ方向に間隔をおいて２個設けられている。引出し部１１３ｄは一方（図３（Ｂ）の上側）のサブ導体層１１３ｂのメイン導体層１１３ｂと向き合わない側の幅方向側縁（図３（Ｂ）の上側）に長さ方向に間隔をおいて２個設けられ、他方（図３（Ｂ）の下側）のサブ導体層１１３ｂのメイン導体層１１３ｂと向き合わない側の幅方向側縁（図３（Ｂ）の下側）に長さ方向に間隔をおいて２個設けられている。
【００２３】
また、図３（Ｂ）に１点鎖線で示すように、幅方向一側（図３（Ｂ）の上側）に存する２個の接続部１１３ｃの中心位置は幅方向他側（図３（Ｂ）の下側）に存する２個の引出し部１１３ｄの中心位置と長さ方向で一致し、幅方向他側（図３（Ｂ）の下側）に存する２個の接続部１１３ｃの中心位置は幅方向一側（図３（Ｂ）の上側）に存する２個の引出し部１１３ｄの中心位置と長さ方向で一致している。つまり、第２内部導体層１１３の各接続部１１３ｃと各引出し部１１３ｄとは両者間に存するサブ導体層１１３ｂの最も短い部分の寸法（幅寸法Ｗ３ｂ）よりも大きな導通距離をもって離れている。
【００２４】
各第２内部導体層１１３における幅方向一側（図３（Ｂ）の上側）に存する２個の引出し部１１３ｄのうち左側の引出し部１１３ｄは積層体１０１の幅方向一側面（図１の右側）の左から２番目に位置する第２外部電極１０３に対応し且つ該第２外部電極１０３に接続され、右側の引出し部１１３ｄは積層体１０１の幅方向一側面（図１の右側）の最も右に位置する第２外部電極１０３に対応し且つ該第２外部電極１０３に接続されている。また、幅方向他側（図３（Ｂ）の下側）に存する２個の引出し部１１３ｄのうち左側の引出し部１１３ｄは積層体１０１の幅方向他側面（図１の左側）の最も左に位置する第２外部電極１０３に対応し且つ該第２外部電極１０３に接続され、右側の引出し部１１３ｄは積層体１０１の幅方向他側面（図１の左側）の右から２番目に位置する第２外部電極１０３に対応し且つ該第２外部電極１０３に接続されている。つまり、各第２内部導体層１１３には４個の引出し部１１３ｄを通じて第２外部電極１０３と同じ極性が付与される。
【００２５】
図面では、第１内部導体層１１２のメイン導体層１１２ａの長さＬ２ａ及び幅Ｗ２ａと第２内部導体層１１３のメイン導体層１１３ａの長さＬ３ａ及び幅Ｗ３ａは同じで、第１内部導体層１１２の各サブ導体層１１２ｂの長さＬ２ｂ及び幅Ｗ２ｂと第２内部導体層１１３の各サブ導体層１１３ｂの長さＬ３ｂ及び幅Ｗ３ｂは同じになっている。また、第１内部導体層１１２の各接続部１１２ｃの長さＬ２ｃ及び幅Ｗ２ｃと第２内部導体層１１３の各接続部１１３ｃの長さＬ３ｃ及び幅Ｗ３ｃは同じで、第１内部導体層１１２の各引出し部１１２ｄの長さＬ２ｄ及び幅Ｗ２ｄと第２内部導体層１１３の各引出し部１１３ｄの長さＬ３ｄ及び幅Ｗ３ｄは同じになっている。
【００２６】
要するに、第１内部導体層１１２のメイン導体層１１２ａと第２内部導体層１１３のメイン導体層１１３ａは同一形状を成し、第１内部導体層１１２の各サブ導体層１１３ａと第２内部導体層１１３の各サブ導体層１１３ｂは同一形状を成していて、第１内部導体層１１２のメイン導体層１１２ａと第２内部導体層１１３のメイン導体層１１３ａは誘電体層１１１を介してほぼ整合した状態で対向し、第１内部導体層１１２の各サブ導体層１１２ｂと第２内部導体層１１３の各サブ導体層１１３ｂは誘電体層１１１を介してほぼ整合した状態で対向している。
【００２７】
後に説明するように、第１，第２内部導体層１１２，１１３のメイン導体層１１２ａ，１１３ａは静電容量の確保をその主たる機能目的とし、第１，第２内部導体層１１２，１１３のサブ導体層１１２ｂ，１１３ｂは静電容量の確保と電流の流れ方向の制御をその主たる機能目的としている。
【００２８】
図４に示した等価回路から分かるように、図１に示した積層コンデンサ１００にあっては、第１内部導体層１１２のメイン導体層１１２ａと該メイン導体層１１２ａと誘電体層１１１を介して対向する第２内部導体層１１３のメイン導体層１１３ａによって所定の静電容量Ｃｍが形成され、第１内部導体層１１２の各サブ導体層１１２ｂと該サブ導体層１１２ｂと誘電体層１１１を介して対向する第２内部導体層１１３の各サブ導体層１１３ｂによって所定の静電容量Ｃｓが２つ形成される。つまり、４個の第１外部電極１０２と４個の第２外部電極１０３を通じて得られる積層コンデンサ１００の静電容量は並列接続された静電容量Ｃｍと２つの静電容量Ｃｓの合成値となるため、第１内部導体層１１２と第２内部導体層１１３の数を適宜選択することによってデカップリングの用途に適した静電容量を確保することができる
図１に示した積層コンデンサ１００は４個の第１外部電極１０２に一方の極性を付与し４個の第２外部電極１０３に他方の極性を付与した状態で使用される。例えば、図５に示すように４個の第１外部電極１０２をプラスとし４個の第２外部電極１０３をマイナス（グランド）としたときには、図６（Ａ）に矢印で示すように第１内部導体層１１２には各引出し部１１２ｄから各サブ導体層１１２ｂ及び各接続部１１２ｃを通じてメイン電極１１２ａに向かうように電流が流れ、また、図６（Ｂ）に矢印で示すように第２内部導体層１１３にはメイン電極１１３ａから各接続部１１３ｃ及び各サブ導体層１１３ｂを通じて各引出電極１１３ｄに向かうように電流が流れる。尚、４個の第１外部電極１０２をマイナス（グランド）とし４個の第２外部電極１０３をプラスとしたときには、各内部導体層１１２，１１３に流れる電流の向きは前記とは逆になることは言うまでもない。
【００２９】
図１に示した積層コンデンサ１００にあっては、４個の第１外部電極１０２に一方の極性を付与し４個の第２外部電極１０３に他方の極性を付与した状態では先に述べたような電流の流れが得られるため、主に、誘電体層１１１を介して隣り合う異極性の引出し部１１２ｄ，１１３ｄに流れる電流の向きが逆になることによる磁界相殺作用（磁束打ち消し作用）と、誘電体層１１１を介して隣り合う異極性の接続部１１２ｃ，１１３ｃに流れる電流の向きが逆になることによる磁界相殺作用（磁束打ち消し作用）によって積層コンデンサ１００のＥＳＬ（等価直列インダクタンス）を効果的に低減することができる。
【００３０】
しかも、積層体１０１の少なくとも基板実装時に基板と向き合う側のマージン部分の厚さを３０〜７０μｍに設定することにより、各内部導体層１１２，１１３の引出し部１１２ｄ，１１３ｄから各外部電極１０２，１０３を通じて基板電極に至る経路を極力短くして、該経路によって生じるインダクタンスをも抑制して低ＥＳＬ化を図ることができる。因みに、マージン部分の厚さを３０μｍよりも小さくすると同部分の強度が低下してクラック発生等を生じる危険性が増し、また、マージン部分の厚さを７０μｍよりも大きくすると前記のインダクタンス抑制作用が得難くなる。
【００３１】
また、図１に示した積層コンデンサ１００にあっては、第１内部導体層１１２及び第２内部導体層１１３の各接続部１１２ｃ，１１３ｃによって得られる抵抗成分（図４の各接続部１１２ｃ，１１３ｃに記した抵抗記号を参照）と、各接続部１１２ｃ，１１３ｃと各引出し部１１２ｄ，１１３ｄとの導通距離によって得られる抵抗成分の少なくとも一方を利用して積層コンデンサ１００のＥＳＲ（直列等価抵抗）を調整することができる。
【００３２】
詳しくは、各接続部１１２ｃ，１１３ｃの幅Ｗ２ｃ，Ｗ３ｃを変えて前者の抵抗成分を変化させる手法と、各接続部１１２ｃ，１１３ｃの数を変えて前者の抵抗成分を変化させる手法と、各接続部１１２ｃ，１１３ｃの位置を変えて後者の抵抗成分を変化させる手法の少なくとも１つを採用することによって、メイン導体層１１２ａ，１１３ａとサブ導体層１１２ｂ，１１３ｂの面積及び位置を変えずに積層コンデンサ１００のＥＳＲを簡単に調整することができる。
【００３３】
具体的には、前者の抵抗成分は接続部１１２ｃ，１１３ｃの幅Ｗ２ｃ，Ｗ３ｃを広げることにより低減でき、逆に狭めることにより増加できる。また、前者の抵抗成分は接続部１１２ｃ，１１３ｃの数を増やすことにより低減でき、逆に減らすことにより増加できる。さらに、後者の抵抗成分は接続部１１２ｃ，１１３ｃの位置を引出し部１１２ｄ，１１３ｄに近付けることにより低減でき、逆に遠ざけることにより増加できる。
【００３４】
勿論、メイン導体層１１２ａ，１１３ａとサブ導体層１１２ｂ，１１３ｂの面積及び位置を変えてもよい場合には、接続部１１２ｃ，１１３ｃの長さＬ２ｃ，Ｌ３ｃを変えて前者の抵抗成分を変化させる手法や、サブ導体層１１２ｂ，１１３ｂの幅Ｗ２ｂ，Ｗ３ｂを変えて後者の抵抗成分を変化させる手法等もＥＳＲ調整に採用できる。
【００３５】
［第２実施形態］
図７〜図１２は本発明（積層コンデンサ）の第２実施形態を示す。
【００３６】
図７に示した積層コンデンサは、所定の長さ，幅及び高さを有する直方体形状の積層体２０１と、積層体２０１の幅方向両側面にそれぞれ５個ずつ等間隔で設けられた計１０個の外部電極２０２，２０３とを備える。計１０個の外部電極２０２，２０３は交互に異なる極性が付与されるものであり、ここでは一方の極性が付与される外部電極２０２を第１外部電極２０２と称し、他方の極性が付与される外部電極２０３を第２外部電極２０３と称する。
【００３７】
積層体２０１は、図８に示すように、第１内部導体層２１２と第２内部導体層２１３とを誘電体層２１１を介して交互に積層して一体化した構造を有する。第１内部導体層２１２と第２内部導体層２１３の数は必ずしも同じである必要はなく、一方の数が他方の数よりも１つ多くても構わない。また、積層体２０１の高さ方向両側には誘電体層２１１のみが積層された部分（マージン部分）が存し、少なくとも基板実装時に基板と向き合う側のマージン部分の厚さは３０〜７０μｍに設定されている。
【００３８】
第１内部導体層２１２は、図９（Ａ）に示すように、所定の長さＬ２ａ及び幅Ｗ２ａを有する矩形状のメイン導体層２１２ａと、メイン導体層２１２ａと同じ長さＬ２ｂ及びメイン導体層２１２ａよりも小さな幅Ｗ２ｂを有しメイン導体層２１２ａの幅方向両側に隣接して位置する矩形状のサブ導体層２１２ｂと、所定の長さＬ２ｃ及び幅Ｗ２ｃを有しメイン導体層２１２ａと各サブ導体層２１２ｂを接続する矩形状の接続部２１２ｃと、所定の長さＬ２ｄ及び幅Ｗ２ｄを有し各サブ導体層２１２ｂに設けられた矩形状の外部電極用引出し部２１２ｄとを有する。
【００３９】
接続部２１２ｃはメイン導体層２１２ａの幅方向一側縁（図９（Ａ）の上側）と一方（図９Ａ）の上側）のサブ導体層２１２ｂの間に長さ方向に間隔をおいて２個設けられ、メイン導体層２１２ａの幅方向他側縁（図９（Ａ）の下側）と他方（図９（Ａ）の下側）のサブ導体層２１２ｂの間に長さ方向に間隔をおいて３個設けられている。引出し部２１２ｄは一方（図９（Ａ）の上側）のサブ導体層２１２ｂのメイン導体層２１２ａと向き合わない側の幅方向側縁（図９（Ａ）の上側）に長さ方向に間隔をおいて３個設けられ、他方（図９（Ａ）の下側）のサブ導体層２１２ｂのメイン導体層２１２ａと向き合わない側の幅方向側縁（図９（Ａ）の下側）に長さ方向に間隔をおいて２個設けられている。
【００４０】
また、図９（Ａ）に１点鎖線で示すように、幅方向一側（図９（Ａ）の上側）に存する２個の接続部２１２ｃの中心位置は幅方向他側（図９（Ａ）の下側）に存する２個の引出し部２１２ｄの中心位置と長さ方向で一致し、幅方向他側（図９（Ａ）の下側）に存する３個の接続部２１２ｃの中心位置は幅方向一側（図９（Ａ）の上側）に存する３個の引出し部２１２ｄの中心位置と長さ方向で一致している。つまり、第１内部導体層２１２の各接続部２１２ｃと各引出し部２１２ｄとは両者間に存するサブ導体層２１２ｂの最も短い部分の寸法（幅寸法Ｗ２ｂ）よりも大きな導通距離をもって離れている。
【００４１】
各第１内部導体層２１２における幅方向一側（図９（Ａ）の上側）に存する３個の引出し部２１２ｄのうち左側の引出し部２１２ｄは積層体２０１の幅方向一側面（図７の右側）の最も左に位置する第１外部電極２０２に対応し且つ該第１外部電極２０２に接続され、中央の引出し部２１２ｄは積層体２０１の幅方向一側面（図７の右側）の左から３番目に位置する第１外部電極２０２に対応し且つ該第１外部電極２０２に接続され、右側の引出し部２１２ｄは積層体２０１の幅方向一側面（図７の右側）の最も右に位置する第１外部電極２０２に対応し且つ該第１外部電極２０２に接続されている。また、幅方向他側（図９（Ａ）の下側）に存する２個の引出し部２１２ｄのうち左側の引出し部２１２ｄは積層体２０１の幅方向他側面（図７の左側）の左から２番目に位置する第１外部電極２０２に対応し且つ該第１外部電極２０２に接続され、右側の引出し部２１２ｄは積層体２０１の幅方向他側面（図７の左側）の右から２番目に位置する第１外部電極２０２に対応し且つ該第１外部電極２０２に接続されている。つまり、各第１内部導体層２１２には５個の引出し部２１２ｄを通じて第１外部電極２０２と同じ極性が付与される。
【００４２】
第２内部導体層２１３は、図９（Ｂ）に示すように、所定の長さＬ３ａ及び幅Ｗ３ａを有する矩形状のメイン導体層２１３ａと、メイン導体層２１３ａと同じ長さＬ３ｂ及びメイン導体層２１３ａよりも小さな幅Ｗ３ｂを有しメイン導体層２１３ａの幅方向両側に隣接して位置する矩形状のサブ導体層２１３ｂと、所定の長さＬ３ｃ及び幅Ｗ３ｃを有しメイン導体層２１３ａと各サブ導体層２１３ｂを接続する矩形状の接続部２１３ｃと、所定の長さＬ３ｄ及び幅Ｗ３ｄを有し各サブ導体層２１３ｂに設けられた矩形状の外部電極用引出し部２１３ｄとを有する。
【００４３】
接続部２１３ｃはメイン導体層２１３ａの幅方向一側縁（図９（Ｂ）の上側）と一方（図９（Ｂ）の上側）のサブ導体層２１２ｂの間に長さ方向に間隔をおいて３個設けられ、メイン導体層２１３ａの幅方向他側縁（図９（Ｂ）の下側）と他方（図９（Ｂ）の下側）のサブ導体層２１３ｂの間に長さ方向に間隔をおいて２個設けられている。引出し部２１３ｄは一方（図９（Ｂ）の上側）のサブ導体層２１３ｂのメイン導体層２１３ｂと向き合わない側の幅方向側縁（図９（Ｂ）の上側）に長さ方向に間隔をおいて２個設けられ、他方（図９（Ｂ）の下側）のサブ導体層２１３ｂのメイン導体層２１３ｂと向き合わない側の幅方向側縁（図９（Ｂ）の下側）に長さ方向に間隔をおいて３個設けられている。
【００４４】
また、図９（Ｂ）に１点鎖線で示すように、幅方向一側（図９（Ｂ）の上側）に存する３個の接続部２１３ｃの中心位置は幅方向他側（図９（Ｂ）の下側）に存する３個の引出し部２１３ｄの中心位置と長さ方向で一致し、幅方向他側（図９（Ｂ）の下側）に存する２個の接続部２１３ｃの中心位置は幅方向一側（図９（Ｂ）の上側）に存する２個の引出し部２１３ｄの中心位置と長さ方向で一致している。つまり、第２内部導体層２１３の各接続部２１３ｃと各引出し部２１３ｄとは両者間に存するサブ導体層２１３ｂの最も短い部分の寸法（幅寸法Ｗ３ｂ）よりも大きな導通距離をもって離れている。
【００４５】
各第２内部導体層２１３における幅方向一側（図９（Ｂ）の上側）に存する２個の引出し部２１３ｄのうち左側の引出し部２１３ｄは積層体２０１の幅方向一側面（図７の右側）の左から２番目に位置する第２外部電極２０３に対応し且つ該第２外部電極２０３に接続され、右側の引出し部２１３ｄは積層体２０１の幅方向一側面（図７の右側）の右から２番目に位置する第２外部電極２０３に対応し且つ該第２外部電極２０３に接続されている。また、幅方向他側（図９（Ｂ）の下側）に存する３個の引出し部２１３ｄのうち左側の引出し部２１３ｄは積層体２０１の幅方向他側面（図７の左側）の最も左に位置する第２外部電極２０３に対応し且つ該第２外部電極２０３に接続され、中央の引出し部２１３ｂは積層体２０１の幅方向他側面（図７の左側）の左から３番目に位置する第２外部電極２０３に対応し且つ該第２外部電極２０３に接続され、右側の引出し部２１３ｄは積層体２０１の幅方向他側面（図７の左側）の最も右に位置する第２外部電極２０３に対応し且つ該第２外部電極２０３に接続されている。つまり、各第２内部導体層２１３には５個の引出し部２１３ｄを通じて第２外部電極２０３と同じ極性が付与される。
【００４６】
図面では、第１内部導体層２１２のメイン導体層２１２ａの長さＬ２ａ及び幅Ｗ２ａと第２内部導体層２１３のメイン導体層２１３ａの長さＬ３ａ及び幅Ｗ３ａは同じで、第１内部導体層２１２の各サブ導体層２１２ｂの長さＬ２ｂ及び幅Ｗ２ｂと第２内部導体層２１３の各サブ導体層２１３ｂの長さＬ３ｂ及び幅Ｗ３ｂは同じになっている。また、第１内部導体層２１２の各接続部２１２ｃの長さＬ２ｃ及び幅Ｗ２ｃと第２内部導体層２１３の各接続部２１３ｃの長さＬ３ｃ及び幅Ｗ３ｃは同じで、第１内部導体層２１２の各引出し部２１２ｄの長さＬ２ｄ及び幅Ｗ２ｄと第２内部導体層２１３の各引出し部１１３ｄの長さＬ３ｄ及び幅Ｗ３ｄは同じになっている。
【００４７】
要するに、第１内部導体層２１２のメイン導体層２１２ａと第２内部導体層２１３のメイン導体層２１３ａは同一形状を成し、第１内部導体層２１２の各サブ導体層２１３ａと第２内部導体層２１３の各サブ導体層２１３ｂは同一形状を成していて、第１内部導体層２１２のメイン導体層２１２ａと第２内部導体層２１３のメイン導体層２１３ａは誘電体層２１１を介してほぼ整合した状態で対向し、第１内部導体層２１２の各サブ導体層２１２ｂと第２内部導体層２１３の各サブ導体層２１３ｂは誘電体層２１１を介してほぼ整合した状態で対向している。
【００４８】
後に説明するように、第１，第２内部導体層２１２，２１３のメイン導体層２１２ａ，２１３ａは静電容量の確保をその主たる機能目的とし、第１，第２内部導体層２１２，２１３のサブ導体層２１２ｂ，２１３ｂは静電容量の確保と電流の流れ方向の制御をその主たる機能目的としている。
【００４９】
図１０に示した等価回路から分かるように、図７に示した積層コンデンサ２００にあっては、第１内部導体層２１２のメイン導体層２１２ａと該メイン導体層２１２ａと誘電体層２１１を介して対向する第２内部導体層２１３のメイン導体層２１３ａによって所定の静電容量Ｃｍが形成され、第１内部導体層２１２の各サブ導体層２１２ｂと該サブ導体層２１２ｂと誘電体層２１１を介して対向する第２内部導体層２１３の各サブ導体層２１３ｂによって所定の静電容量Ｃｓが２つ形成される。つまり、５個の第１外部電極２０２と５個の第２外部電極２０３を通じて得られる積層コンデンサ２００の静電容量は並列接続された静電容量Ｃｍと２つの静電容量Ｃｓの合成値となるため、第１内部導体層２１２と第２内部導体層２１３の数を適宜選択することによってデカップリングの用途に適した静電容量を確保することができる
図７に示した積層コンデンサ２００は５個の第１外部電極２０２に一方の極性を付与し５個の第２外部電極２０３に他方の極性を付与した状態で使用される。例えば、図１１に示すように５個の第１外部電極２０２をプラスとし５個の第２外部電極２０３をマイナス（グランド）としたときには、図１２（Ａ）に矢印で示すように第１内部導体層２１２には各引出し部２１２ｄから各サブ導体層２１２ｂ及び各接続部２１２ｃを通じてメイン電極２１２ａに向かうように電流が流れ、また、図１２（Ｂ）に矢印で示すように第２内部導体層２１３にはメイン電極２１３ａから各接続部２１３ｃ及び各サブ導体層２１３ｂを通じて各引出電極２１３ｄに向かうように電流が流れる。尚、５個の第１外部電極２０２をマイナス（グランド）とし５個の第２外部電極２０３をプラスとしたときには、各内部導体層２１２，２１３に流れる電流の向きは前記とは逆になることは言うまでもない。
【００５０】
図７に示した積層コンデンサ２００にあっては、５個の第１外部電極２０２に一方の極性を付与し５個の第２外部電極２０３に他方の極性を付与した状態では先に述べたような電流の流れが得られるため、主に、誘電体層２１１を介して隣り合う異極性の引出し部２１２ｄ，２１３ｄに流れる電流の向きが逆になることによる磁界相殺作用（磁束打ち消し作用）と、誘電体層２１１を介して隣り合う異極性の接続部２１２ｃ，２１３ｃに流れる電流の向きが逆になることによる磁界相殺作用（磁束打ち消し作用）によって積層コンデンサ２００のＥＳＬ（等価直列インダクタンス）を効果的に低減することができる。
【００５１】
しかも、積層体２０１の少なくとも基板実装時に基板と向き合う側のマージン部分の厚さを３０〜７０μｍに設定することにより、各内部導体層２１２，２１３の引出し部２１２ｄ，２１３ｄから各外部電極２０２，２０３を通じて基板電極に至る経路を極力短くして、該経路によって生じるインダクタンスをも抑制して低ＥＳＬ化を図ることができる。因みに、マージン部分の厚さを３０μｍよりも小さくすると同部分の強度が低下してクラック発生等を生じる危険性が増し、また、マージン部分の厚さを７０μｍよりも大きくすると前記のインダクタンス抑制作用が得難くなる。
【００５２】
また、図７に示した積層コンデンサ２００にあっては、第１内部導体層２１２及び第２内部導体層２１３の各接続部２１２ｃ，２１３ｃによって得られる抵抗成分（図１０の各接続部２１２ｃ，２１３ｃに記した抵抗記号を参照）と、各接続部２１２ｃ，２１３ｃと各引出し部２１２ｄ，２１３ｄとの導通距離によって得られる抵抗成分の少なくとも一方を利用して積層コンデンサ２００のＥＳＲ（直列等価抵抗）を調整することができる。
【００５３】
詳しくは、各接続部２１２ｃ，２１３ｃの幅Ｗ２ｃ，Ｗ３ｃを変えて前者の抵抗成分を変化させる手法と、各接続部２１２ｃ，２１３ｃの数を変えて前者の抵抗成分を変化させる手法と、各接続部２１２ｃ，２１３ｃの位置を変えて後者の抵抗成分を変化させる手法の少なくとも１つを採用することによって、メイン導体層２１２ａ，２１３ａとサブ導体層２１２ｂ，２１３ｂの面積及び位置を変えずに積層コンデンサ２００のＥＳＲを簡単に調整することができる。
【００５４】
具体的には、前者の抵抗成分は接続部２１２ｃ，２１３ｃの幅Ｗ２ｃ，Ｗ３ｃを広げることにより低減でき、逆に狭めることにより増加できる。また、前者の抵抗成分は接続部２１２ｃ，２１３ｃの数を増やすことにより低減でき、逆に減らすことにより増加できる。さらに、後者の抵抗成分は接続部２１２ｃ，２１３ｃの位置を引出し部２１２ｄ，２１３ｄに近付けることにより低減でき、逆に遠ざけることにより増加できる。
【００５５】
勿論、メイン導体層２１２ａ，２１３ａとサブ導体層２１２ｂ，２１３ｂの面積及び位置を変えてもよい場合には、接続部２１２ｃ，２１３ｃの長さＬ２ｃ，Ｌ３ｃを変えて前者の抵抗成分を変化させる手法や、サブ導体層２１２ｂ，２１３ｂの幅Ｗ２ｂ，Ｗ３ｂを変えて後者の抵抗成分を変化させる手法等もＥＳＲ調整に採用できる。
【００５６】
［第３実施形態］
図１３〜図１８は本発明（積層コンデンサ）の第３実施形態を示す。
【００５７】
図１３に示した積層コンデンサ３００は、所定の長さ，幅及び高さを有する直方体形状の積層体３０１と、積層体３０１の幅方向両側面にそれぞれ４個ずつ等間隔で設けられた計８個の外部電極３０２，３０３とを備える。計８個の外部電極３０２，３０３は交互に異なる極性が付与されるものであり、ここでは一方の極性が付与される外部電極３０２を第１外部電極３０２と称し、他方の極性が付与される外部電極３０３を第２外部電極３０３と称する。
【００５８】
積層体３０１は、図１４に示すように、第１内部導体層３１２と第２内部導体層３１３とを誘電体層３１１を介して交互に積層して一体化した構造を有する。第１内部導体層３１２と第２内部導体層３１３の数は必ずしも同じである必要はなく、一方の数が他方の数よりも１つ多くても構わない。また、積層体３０１の高さ方向両側には誘電体層３１１のみが積層された部分（マージン部分）が存し、少なくとも基板実装時に基板と向き合う側のマージン部分の厚さは３０〜７０μｍに設定されている。
【００５９】
第１内部導体層３１２は、図１５（Ａ）に示すように、所定の長さＬ２ａ及び幅Ｗ２ａを有する矩形状のメイン導体層３１２ａと、メイン導体層３１２ａよりも長い長さＬ２ｂ及びメイン導体層３１２ａよりも小さな幅Ｗ２ｂを全体に有しメイン導体層３１２ａの周囲に隣接して位置する矩形枠状のサブ導体層３１２ｂと、所定の長さＬ２ｃ及び幅Ｗ２ｃを有しメイン導体層３１２ａとサブ導体層３１２ｂを接続する矩形状の接続部３１２ｃと、所定の長さＬ２ｄ及び幅Ｗ２ｄを有しサブ導体層３１２ｂに設けられた矩形状の外部電極用引出し部３１２ｄとを有する。
【００６０】
接続部３１２ｃはメイン導体層３１２ａの長さ方向一側縁（図１５（Ａ）の左側）の中央とサブ導体層３１２ｂの間に１個設けられ、メイン導体層３１２ａの長さ方向他側縁（図１５（Ａ）の右側）の中央とサブ導体層３１２ｂの間に１個設けられている。引出し部３１２ｄはサブ導体層３１２ｂのメイン導体層３１２ａと向き合わない側の幅方向一側縁（図１５（Ａ）の上側）と幅方向他側縁（図１５（Ａ）の下側）に長さ方向に間隔をおいてそれぞれ２個ずつ設けられている。
【００６１】
また、長さ方向一側（図１５（Ａ）の左側）に存する１個の接続部３１２ｃの中心位置は幅方向他側（図１５（Ａ）の右側）に存する１個の接続部３１２ｃの中心位置と幅方向で一致している。つまり、第１内部導体層３１２の各接続部３１２ｃと各引出し部３１２ｄとは両者間に存するサブ導体層３１２ｂの最も短い部分の寸法（幅寸法Ｗ２ｂ）よりも大きな導通距離をもって離れている。
【００６２】
各第１内部導体層３１２における幅方向一側（図１５（Ａ）の上側）に存する２個の引出し部３１２ｄのうち左側の引出し部３１２ｄは積層体３０１の幅方向一側面（図１３の右側）の最も左に位置する第１外部電極３０２に対応し且つ該第１外部電極３０２に接続され、右側の引出し部３１２ｄは積層体３０１の幅方向一側面（図１３の右側）の右から２番目に位置する第１外部電極３０２に対応し且つ該第１外部電極３０２に接続されている。また、幅方向他側（図１５（Ａ）の下側）に存する２個の引出し部３１２ｄのうち左側の引出し部３１２ｄは積層体３０１の幅方向他側面（図１３の左側）の左から２番目に位置する第１外部電極３０２に対応し且つ該第１外部電極３０２に接続され、右側の引出し部３１２ｄは積層体３０１の幅方向他側面（図１３の左側）の最も右に位置する第１外部電極３０２に対応し且つ該第１外部電極３０２に接続されている。つまり、各第１内部導体層３１２には４個の引出し部３１２ｄを通じて第１外部電極３０２と同じ極性が付与される。
【００６３】
第２内部導体層３１３は、図１５（Ｂ）に示すように、所定の長さＬ３ａ及び幅Ｗ３ａを有する矩形状のメイン導体層３１３ａと、メイン導体層３１３ａよりも長い長さＬ３ｂ及びメイン導体層３１３ａよりも小さな幅Ｗ３ｂを全体に有しメイン導体層３１３ａの周囲に隣接して位置する矩形枠状のサブ導体層３１３ｂと、所定の長さＬ３ｃ及び幅Ｗ３ｃを有しメイン導体層３１３ａとサブ導体層３１３ｂを接続する矩形状の接続部３１３ｃと、所定の長さＬ３ｄ及び幅Ｗ３ｄを有しサブ導体層３１３ｂに設けられた矩形状の外部電極用引出し部３１３ｄとを有する。
【００６４】
接続部３１３ｃはメイン導体層３１３ａの長さ方向一側縁（図１５（Ｂ）の左側）の中央とサブ導体層３１３ｂの間に１個設けられ、メイン導体層３１３ａの長さ方向他側縁（図１５（Ｂ）の右側）の中央とサブ導体層３１３ｂの間に１個設けられている。引出し部３１３ｄはサブ導体層３１３ｂのメイン導体層３１３ａと向き合わない側の幅方向一側縁（図１５（Ｂ）の上側）と幅方向他側縁（図１５（Ｂ）の下側）に長さ方向に間隔をおいてそれぞれ２個ずつ設けられている。
【００６５】
また、長さ方向一側（図１５（Ｂ）の左側）に存する１個の接続部３１３ｃの中心位置は幅方向他側（図１５（Ｂ）の右側）に存する１個の接続部３１３ｃの中心位置と幅方向で一致している。つまり、第１内部導体層３１３の各接続部３１３ｃと各引出し部３１３ｄとは両者間に存するサブ導体層３１３ｂの最も短い部分の寸法（幅寸法Ｗ２ｂ）よりも大きな導通距離をもって離れている。
【００６６】
各第２内部導体層３１３における幅方向一側（図１５（Ｂ）の上側）に存する２個の引出し部３１３ｄのうち左側の引出し部３１３ｄは積層体３０１の幅方向一側面（図１３の右側）の左から２番目に位置する第２外部電極３０３に対応し且つ該第２外部電極３０３に接続され、右側の引出し部３１３ｄは積層体３０１の幅方向一側面（図１３の右側）の最も右に位置する第２外部電極３０３に対応し且つ該第２外部電極３０３に接続されている。また、幅方向他側（図１５（Ｂ）の下側）に存する２個の引出し部３１３ｄのうち左側の引出し部３１３ｄは積層体３０１の幅方向他側面（図１３の左側）の最も左に位置する第２外部電極３０３に対応し且つ該第２外部電極３０３に接続され、右側の引出し部３１３ｄは積層体３０１の幅方向他側面（図１３の左側）の右から２番目に位置する第２外部電極３０３に対応し且つ該第２外部電極３０３に接続されている。つまり、各第２内部導体層３１３には４個の引出し部３１３ｄを通じて第２外部電極３０３と同じ極性が付与される。
【００６７】
図面では、第１内部導体層３１２のメイン導体層３１２ａの長さＬ２ａ及び幅Ｗ２ａと第２内部導体層３１３のメイン導体層３１３ａの長さＬ３ａ及び幅Ｗ３ａは同じで、第１内部導体層３１２のサブ導体層３１２ｂの長さＬ２ｂ及び幅Ｗ２ｂと第２内部導体層３１３のサブ導体層３１３ｂの長さＬ３ｂ及び幅Ｗ３ｂは同じになっている。また、第１内部導体層３１２の各接続部３１２ｃの長さＬ２ｃ及び幅Ｗ２ｃと第２内部導体層３１３の各接続部３１３ｃの長さＬ３ｃ及び幅Ｗ３ｃは同じで、第１内部導体層３１２の各引出し部３１２ｄの長さＬ２ｄ及び幅Ｗ２ｄと第２内部導体層３１３の各引出し部１１３ｄの長さＬ３ｄ及び幅Ｗ３ｄは同じになっている。
【００６８】
要するに、第１内部導体層３１２のメイン導体層３１２ａと第２内部導体層３１３のメイン導体層３１３ａは同一形状を成し、第１内部導体層３１２のサブ導体層３１３ａと第２内部導体層３１３のサブ導体層３１３ｂは同一形状を成していて、第１内部導体層３１２のメイン導体層３１２ａと第２内部導体層３１３のメイン導体層３１３ａは誘電体層３１１を介してほぼ整合した状態で対向し、第１内部導体層３１２のサブ導体層３１２ｂと第２内部導体層３１３のサブ導体層３１３ｂは誘電体層３１１を介してほぼ整合した状態で対向している。
【００６９】
後に説明するように、第１，第２内部導体層３１２，３１３のメイン導体層３１２ａ，３１３ａは静電容量の確保をその主たる機能目的とし、第１，第２内部導体層３１２，３１３のサブ導体層３１２ｂ，３１３ｂは静電容量の確保と電流の流れ方向の制御をその主たる機能目的としている。
【００７０】
図１６に示した等価回路から分かるように、図１３に示した積層コンデンサ３００にあっては、第１内部導体層３１２のメイン導体層３１２ａと該メイン導体層３１２ａと誘電体層３１１を介して対向する第２内部導体層３１３のメイン導体層３１３ａによって所定の静電容量Ｃｍが形成され、第１内部導体層３１２のサブ導体層３１２ｂと該サブ導体層３１２ｂと誘電体層３１１を介して対向する第２内部導体層３１３のサブ導体層３１３ｂによって所定の静電容量Ｃｓが形成される。つまり、４個の第１外部電極３０２と４個の第２外部電極３０３を通じて得られる積層コンデンサ３００の静電容量は並列接続された静電容量Ｃｍと静電容量Ｃｓの合成値となるため、第１内部導体層３１２と第２内部導体層３１３の数を適宜選択することによってデカップリングの用途に適した静電容量を確保することができる
図１３に示した積層コンデンサ３００は４個の第１外部電極３０２に一方の極性を付与し４個の第２外部電極３０３に他方の極性を付与した状態で使用される。例えば、図１７に示すように４個の第１外部電極３０２をプラスとし４個の第２外部電極３０３をマイナス（グランド）としたときには、図１８（Ａ）に矢印で示すように第１内部導体層３１２には各引出し部３１２ｄからサブ導体層３１２ｂ及び各接続部３１２ｃを通じてメイン電極３１２ａに向かうように電流が流れ、また、図１８（Ｂ）に矢印で示すように第２内部導体層３１３にはメイン電極３１３ａから各接続部３１３ｃ及びサブ導体層３１３ｂを通じて各引出電極３１３ｄに向かうように電流が流れる。尚、４個の第１外部電極３０２をマイナス（グランド）とし４個の第２外部電極３０３をプラスとしたときには、各内部導体層３１２，３１３に流れる電流の向きは前記とは逆になることは言うまでもない。
【００７１】
図１３に示した積層コンデンサ３００にあっては、４個の第１外部電極３０２に一方の極性を付与し４個の第２外部電極３０３に他方の極性を付与した状態では先に述べたような電流の流れが得られるため、主に、誘電体層３１１を介して隣り合う異極性の引出し部３１２ｄ，３１３ｄに流れる電流の向きが逆になることによる磁界相殺作用（磁束打ち消し作用）と、誘電体層３１１を介して向き合う異極性の接続部３１２ｃ，３１３ｃに流れる電流の向きが逆になることによる磁界相殺作用（磁束打ち消し作用）によって積層コンデンサ３００のＥＳＬ（等価直列インダクタンス）を効果的に低減することができる。
【００７２】
しかも、積層体３０１の少なくとも基板実装時に基板と向き合う側のマージン部分の厚さを３０〜７０μｍに設定することにより、各内部導体層３１２，３１３の引出し部３１２ｄ，３１３ｄから各外部電極３０２，３０３を通じて基板電極に至る経路を極力短くして、該経路によって生じるインダクタンスをも抑制して低ＥＳＬ化を図ることができる。因みに、マージン部分の厚さを３０μｍよりも小さくすると同部分の強度が低下してクラック発生等を生じる危険性が増し、また、マージン部分の厚さを７０μｍよりも大きくすると前記のインダクタンス抑制作用が得難くなる。
【００７３】
また、図１３に示した積層コンデンサ３００にあっては、第１内部導体層３１２及び第２内部導体層３１３の各接続部３１２ｃ，３１３ｃによって得られる抵抗成分（図１６の各接続部３１２ｃ，３１３ｃに記した抵抗記号を参照）と、各接続部３１２ｃ，３１３ｃと各引出し部３１２ｄ，３１３ｄとの導通距離によって得られる抵抗成分の少なくとも一方を利用して積層コンデンサ３００のＥＳＲ（直列等価抵抗）を調整することができる。
【００７４】
詳しくは、各接続部３１２ｃ，３１３ｃの幅Ｗ２ｃ，Ｗ３ｃを変えて前者の抵抗成分を変化させる手法と、各接続部３１２ｃ，３１３ｃの数を変えて前者の抵抗成分を変化させる手法と、各接続部３１２ｃ，３１３ｃの位置を変えて後者の抵抗成分を変化させる手法の少なくとも１つを採用することによって、メイン導体層３１２ａ，３１３ａとサブ導体層３１２ｂ，３１３ｂの面積及び位置を変えずに積層コンデンサ１００のＥＳＲを簡単に調整することができる。
【００７５】
具体的には、前者の抵抗成分は接続部３１２ｃ，３１３ｃの幅Ｗ２ｃ，Ｗ３ｃを広げることにより低減でき、逆に狭めることにより増加できる。また、前者の抵抗成分は接続部３１２ｃ，３１３ｃの数を増やすことにより低減でき、逆に減らすことにより増加できる。さらに、後者の抵抗成分は接続部３１２ｃ，３１３ｃの位置を引出し部３１２ｄ，３１３ｄに近付けることにより低減でき、逆に遠ざけることにより増加できる。
【００７６】
勿論、メイン導体層３１２ａ，３１３ａとサブ導体層３１２ｂ，３１３ｂの面積及び位置を変えてもよい場合には、接続部３１２ｃ，３１３ｃの長さＬ２ｃ，Ｌ３ｃを変えて前者の抵抗成分を変化させる手法や、サブ導体層３１２ｂ，３１３ｂの幅Ｗ２ｂ，Ｗ３ｂを変えて後者の抵抗成分を変化させる手法等もＥＳＲ調整に採用できる。
【図面の簡単な説明】
【００７７】
【図１】本発明の第１実施形態を示す積層コンデンサの斜視図である。
【図２】図１に示した積層コンデンサの層構成を示す斜視図である。
【図３】図２に示した第１，第２内部導体層の上面図である。
【図４】図１に示した積層コンデンサの等価回路を表す図である。
【図５】図１に示した積層コンデンサの４個の第１外部電極をプラスとし４個の第２外部電極をマイナス（グランド）としたときの極性を表す図である。
【図６】図１に示した積層コンデンサの４個の第１外部電極をプラスとし４個の第２外部電極をマイナス（グランド）としたときの第１，第２内部導体層の電流の流れ方向を表す図である。
【図７】本発明の第２実施形態を示す積層コンデンサの斜視図である。
【図８】図７に示した積層コンデンサの層構成を示す斜視図である。
【図９】図８に示した第１，第２内部導体層の上面図である。
【図１０】図７に示した積層コンデンサの等価回路を表す図である。
【図１１】図７に示した積層コンデンサの５個の第１外部電極をプラスとし５個の第２外部電極をマイナス（グランド）としたときの極性を表す図である。
【図１２】図７に示した積層コンデンサの５個の第１外部電極をプラスとし５個の第２外部電極をマイナス（グランド）としたときの第１，第２内部導体層の電流の流れ方向を表す図である。
【図１３】本発明の第３実施形態を示す積層コンデンサの斜視図である。
【図１４】図１３に示した積層コンデンサの層構成を示す斜視図である。
【図１５】図１４に示した第１，第２内部導体層の上面図である。
【図１６】図１３に示した積層コンデンサの等価回路を表す図である。
【図１７】図１３に示した積層コンデンサの４個の第１外部電極をプラスとし４個の第２外部電極をマイナス（グランド）としたときの極性を表す図である。
【図１８】図１３に示した積層コンデンサの４個の第１外部電極をプラスとし４個の第２外部電極をマイナス（グランド）としたときの第１，第２内部導体層の電流の流れ方向を表す図である。
【符号の説明】
【００７８】
１００…積層コンデンサ、１０１…積層体、１０２…第１外部電極、１０２…第２外部電極、１１１…誘電体層、１１２…第１内部導体層、１１２ａ…メイン導体層、１１２ｂ…サブ導体層、１１２ｃ…接続部、１１２ｄ…引出し部、１１３…第２内部導体層、１１３ａ…メイン導体層、１１３ｂ…サブ導体層、１１３ｃ…接続部、１１３ｄ…引出し部、２００…積層コンデンサ、２０１…積層体、２０２…第１外部電極、２０２…第２外部電極、２１１…誘電体層、２１２…第１内部導体層、２１２ａ…メイン導体層、２１２ｂ…サブ導体層、２１２ｃ…接続部、２１２ｄ…引出し部、２１３…第２内部導体層、２１３ａ…メイン導体層、２１３ｂ…サブ導体層、２１３ｃ…接続部、２１３ｄ…引出し部、３００…積層コンデンサ、３０１…積層体、３０２…第１外部電極、３０２…第２外部電極、３１１…誘電体層、３１２…第１内部導体層、３１２ａ…メイン導体層、３１２ｂ…サブ導体層、３１２ｃ…接続部、３１２ｄ…引出し部、３１３…第２内部導体層、３１３ａ…メイン導体層、３１３ｂ…サブ導体層、３１３ｃ…接続部、３１３ｄ…引出し部。
【図１】
2007294527.tif 000003
【図２】
2007294527.tif 000004
【図３】
2007294527.tif 000005
【図４】
2007294527.tif 000006
【図５】
2007294527.tif 000007
【図６】
2007294527.tif 000008
【図７】
2007294527.tif 000009
【図８】
2007294527.tif 000010
【図９】
2007294527.tif 000011
【図１０】
2007294527.tif 000012
【図１１】
2007294527.tif 000013
【図１２】
2007294527.tif 000014
【図１３】
2007294527.tif 000015
【図１４】
2007294527.tif 000016
【図１５】
2007294527.tif 000017
【図１６】
2007294527.tif 000018
【図１７】
2007294527.tif 000019
【図１８】
2007294527.tif 000020